(57)【特許請求の範囲】
【請求項１】
挿入溝が形成されたフレームと、
前記挿入溝に挿脱自在に差し込まれるものであって、一側面にはアナログウォッチが表われ、他側面にはスマートウォッチが表われるように、アナログウォッチユニットとスマートウォッチユニットとが互いに背を向けて結合された時計本体と、
前記時計本体を回転自在に支持するものであって、一側が、前記フレームにヒンジ結合されて、前記挿入溝に挿入される第１位置と前記挿入溝から離脱して、前記フレームの前方に突出した第２位置との間で前記フレームに対して回転自在な支持部材と、を備え、
前記支持部材が、前記第１位置である時、前記時計本体は、前記支持部材に対して回転せず、前記挿入溝に差し込まれて、前記アナログウォッチ及び前記スマートウォッチのうち何れか１つが、前記フレームの前面に露出され、
前記支持部材が、前記第２位置である時、前記時計本体は、前記支持部材に対して回転可能であり、
前記時計本体が、前記挿入溝に差し込まれた場合に、前記時計本体が意図しないように、前記挿入溝から離脱して出ないようにロッキングするロッキングユニットをさらに備え、
前記ロッキングユニットは、前記支持部材に設けられたフック干渉部、及び前記フック干渉部と干渉されるフック部を備え、前記フック部が、前記挿入溝の内周面から突出する方向に付勢されるように、前記フレームに設けられたフック部材を備え、
前記支持部材が、前記第１位置である時に、前記フック部が突出して、前記フック干渉部と干渉されることによって、前記支持部材が、前記第１位置に固定され、
前記フック部と前記フック干渉部との干渉が解除された時に、前記支持部材が、前記第２位置に移動するように、前記時計本体を弾性加圧する位置切り替え補助バネをさらに備えたことを特徴とするコンバーチブルスマートウォッチ。
【請求項２】
前記フレームにヒンジ結合される部分を除いた前記支持部材の部分は、前記支持部材に対する前記時計本体の回転軸を基準に対称になる多角形または閉曲線状であることを特徴とする請求項１に記載のコンバーチブルスマートウォッチ。
【請求項３】
前記フレームに対する前記支持部材の回転軸と、前記支持部材に対する前記時計本体の回転軸は、互いに平行であることを特徴とする請求項１に記載のコンバーチブルスマートウォッチ。
【請求項４】
前記スマートウォッチが、前記フレームの前面に露出された時のみに前記スマートウォッチユニットを作動させるスマートウォッチ・オン／オフ・ユニットをさらに備えたことを特徴とする請求項１に記載のコンバーチブルスマートウォッチ。
【請求項５】
前記スマートウォッチ・オン／オフ・ユニットは、前記支持部材の内側面に突設された加圧突起、及び前記時計本体の側面に設けられ、接触加圧されれば、前記スマートウォッチユニットの作動を許容するタッチスイッチを備え、
前記挿入溝に前記時計本体が差し込まれ、前記スマートウォッチが、前記フレームの前面に露出された時のみに前記加圧突起によって前記タッチスイッチが接触加圧されることを特徴とする請求項４に記載のコンバーチブルスマートウォッチ。
【発明の詳細な説明】
【技術分野】
【０００１】
本発明は、スマートウォッチに係り、より詳細には、スマートウォッチ（smart watch）とアナログウォッチ（analogue watch）とを自在に切り替え可能なコンバーチブルスマートウォッチに関する。
【背景技術】
【０００２】
スマートウォッチは、一般時計よりも向上した機能を装着している組み込み（embeded）システムの腕時計を言う。初期には、基本的な時間表示機能と共に計算機能、翻訳機能、ゲーム機能を備える程度であった。しかし、現在は、スマートウォッチが、電話通話、音声及び文字メッセージ受信、オーディオ及びビデオファイルの再生だけではなく、モバイルアプリ（app）を駆動して多様な機能を提供している。現在のスマートウォッチは、通常のカメラ、加速度計、温度計、高度計、気圧計、羅針盤、クロノグラフ、タッチスクリーン、ＧＰＳ、ＳＤカード、充放電可能バッテリなどを備えている。
【０００３】
スマートウォッチは、多様な機能を行い、情報を確認することができるディスプレイパネル（display panel）を前面に備える。大きなディスプレイパネルを備えるデザイン（design）が、未来向の美感を催すことはできる。しかし、前記大きなディスプレイパネルは、時針と分針とを有するアナログウォッチ（analog watch）の伝統の美感に慣れたユーザには選択をはばかる要因となる。
【０００４】
このような問題点を解決するために、ディスプレイパネル上に回転する時針と分針とを表現して、アナログウォッチに近く見えるようにデザインしたスマートウォッチも開示されている。しかし、このようなスマートウォッチは、実際時針と分針とが回転するアナログウォッチの美感を完壁に再現することは難しい。また、無線通信状態が不良であるか、バッテリが放電した場合、時間を確認することができなくて、困難を経験することもある。
【発明の概要】
【発明が解決しようとする課題】
【０００５】
本発明は、スマートウォッチと共にアナログウォッチを兼備し、選択によってスマートウォッチまたはアナログウォッチに切り替えて見られるコンバーチブルスマートウォッチを提供する。
【０００６】
本発明は、スマートウォッチとアナログウォッチとを切り替える時、時計本体を指先で接触しないか、接触を最小化することができるコンバーチブルスマートウォッチを提供する。
【課題を解決するための手段】
【０００７】
本発明は、フレームと、時計本体と、支持部材と、を含む。フレームには、凹状の挿入溝が形成される。時計本体は、前記挿入溝に挿脱自在に差し込まれるものであって、アナログウォッチを備えたアナログウォッチユニットと、スマートウォッチを備えたスマートウォッチユニットと、を備える。前記アナログウォッチとスマートウォッチは、互いに背を向けて結合される。支持部材は、前記時計本体を回転自在に支持する。前記支持部材は、第１位置と第２位置との間で前記フレームに対して回転可能である。前記第１位置は、支持部材の一側が前記フレームにヒンジ（hinge）結合されて、前記挿入溝に挿入される位置である。前記第２位置は、支持部材が前記挿入溝から離脱して、前記フレームの前方に突出した位置である。
【０００８】
前記支持部材が、前記第１位置である時、前記アナログウォッチ及び前記スマートウォッチのうち何れか１つが、前記フレームの前面に露出される。また、前記支持部材が、前記第２位置である時、前記時計本体は、前記支持部材に対して回転自在なコンバーチブルスマートウォッチを提供する。
【０００９】
前記フレームにヒンジ結合される部分を除いた前記支持部材の部分は、前記支持部材に対する前記時計本体の回転軸を基準に対称になる多角形または閉曲線状であり得る。
【００１０】
前記フレームに対する前記支持部材の回転軸と、前記支持部材に対する前記時計本体の回転軸は、互いに平行である。
【００１１】
本発明のコンバーチブルスマートウォッチは、前記スマートウォッチが、前記フレームの前面に露出された時のみに前記スマートウォッチユニットを作動させるスマートウォッチ・オン／オフ・ユニット（on-off unit）をさらに備えることができる。
【００１２】
前記スマートウォッチ・オン／オフ・ユニットは、加圧突起とタッチスイッチとを備えることができる。加圧突起は、前記支持部材の内側面に突出する。タッチスイッチは、前記時計本体の側面に設けられ、接触加圧されれば、前記スマートウォッチユニットの作動を許容する。したがって、前記挿入溝に前記時計本体が差し込まれ、前記スマートウォッチが、前記フレームの前面に露出された時のみに前記加圧突起によって前記タッチスイッチが接触加圧されうる。
【００１３】
本発明のコンバーチブルスマートウォッチは、前記時計本体が、前記挿入溝に差し込まれた場合に、前記時計本体が意図しないように、前記挿入溝から離脱して出ないようにロッキングするロッキングユニット（locking unit）をさらに備えることができる。
【００１４】
前記ロッキングユニットは、フック干渉部と、フック部と、フック部材と、を備えることができる。フック干渉部は、前記支持部材に設けられる。フック部は、前記フック干渉部と干渉される。フック部材は、前記フック部が前記挿入溝の内周面から突出する方向に付勢（elastic bias）されるように、前記フレームに設けられる。この場合、前記支持部材が、前記第１位置である時に、前記フック部が突出して、前記フック干渉部と干渉されることによって、前記支持部材が、前記第１位置に固定されうる。
【００１５】
本発明のコンバーチブルスマートウォッチは、前記フック部と前記フック干渉部との干渉が解除された時に、前記支持部材が、前記第２位置に移動するように、前記時計本体を弾性加圧する位置切り替え補助バネ（spring）をさらに備えることができる。
【発明の効果】
【００１６】
本発明のコンバーチブルスマートウォッチは、スマートウォッチユニットとアナログウォッチユニットとが互いに背を向けて重なるように配され、スマートウォッチ及びアナログウォッチのうち何れか１つが露出されるように切り替えることができる。したがって、１つの腕時計でユーザの服装、集まりの雰囲気などに合わせてスマートウォッチとして用いるか、アナログウォッチとして用いられる。
【００１７】
本発明のコンバーチブルスマートウォッチは、時計本体が支持部材を介してフレームに連結された構造であって、手首に着用した状態で、スマートウォッチが露出された状態からアナログウォッチが露出された状態に、またはその反対の場合に切り替え可能である。
【００１８】
本発明のコンバーチブルスマートウォッチは、フレームの背面が詰まった挿入溝に時計本体が挿脱自在に挿入される構成を備える。これを通じて手首に着用しても、時計本体のアナログウォッチやスマートウォッチが手首に接触されない。また、時計本体を指先で接触しないか、接触を最小化して、スマートウォッチとアナログウォッチとを切り替えることができるので、手の細菌や汗による時計本体の腐蝕と汚染とを防ぐことができる。
【００１９】
また、本発明のコンバーチブルスマートウォッチは、無線通信状態が不良であるか、バッテリが放電してスマートウォッチユニットを用いることができない場合にも、アナログウォッチユニットを通じて時間を確認することができる。
【図面の簡単な説明】
【００２０】
【図１】本発明の実施形態によるコンバーチブルスマートウォッチを示す斜視図であって、アナログウォッチユニットからスマートウォッチユニットに切り替えされる過程を示す斜視図である。
【図２】本発明の実施形態によるコンバーチブルスマートウォッチを示す斜視図であって、アナログウォッチユニットからスマートウォッチユニットに切り替えされる過程を示す斜視図である。
【図３】本発明の実施形態によるコンバーチブルスマートウォッチを示す斜視図であって、アナログウォッチユニットからスマートウォッチユニットに切り替えされる過程を示す斜視図である。
【図４】本発明の実施形態によるコンバーチブルスマートウォッチを示す斜視図であって、アナログウォッチユニットからスマートウォッチユニットに切り替えされる過程を示す斜視図である。
【図５】本発明の実施形態によるコンバーチブルスマートウォッチを示す斜視図であって、アナログウォッチユニットからスマートウォッチユニットに切り替えされる過程を示す斜視図である。
【図６】図１をＶＩ−ＶＩ線に沿って切り取って示す断面図である。
【図７】図５をＶＩＩ−ＶＩＩ線に沿って切り取って示す断面図である。
【発明を実施するための形態】
【００２１】
以下、添付図面を参照して、本発明の実施形態によるコンバーチブルスマートウォッチを詳細に説明する。本明細書で使われる用語（terminology）は、本発明の望ましい実施形態を適切に表現するために使われた用語であって、これは、ユーザまたは運用者の意図または本発明が属する分野の慣例などによって変わりうる。したがって、本用語に対する定義は、本明細書の全般に亘った内容に基づいて下されなければならない。
【００２２】
図１〜図５は、本発明の実施形態によるコンバーチブルスマートウォッチを示す斜視図であって、アナログウォッチユニットからスマートウォッチユニットに切り替えされる過程を順次に示す斜視図である。図６は、図１をＶＩ−ＶＩ線に沿って切り取って示す断面図である。図７は、図５をＶＩＩ−ＶＩＩ線に沿って切り取って示す断面図である。図１と図６とを共に参照すれば、本発明の実施形態によるコンバーチブルスマートウォッチ１は、フレーム（frame）５、時計本体３５、及び支持部材２７を備える。
【００２３】
フレーム５は、前面中央に円状に凹状の挿入溝８が形成される。前記挿入溝８に時計本体３５が挿脱自在に差し込まれる。フレーム５の長手方向の両端部には、ストラップ支持バー（strap supporting bar）６が設けられ、フレーム５を手首に着用できるように、ストラップ（strap）２が連結される。
【００２４】
時計本体３５は、アナログウォッチユニット４０とスマートウォッチユニット４６とを備える。アナログウォッチユニット４０とスマートウォッチユニット４６とが互いに背を向けて結合される。これにより、一側面にはアナログウォッチが表われ、他側面にはスマートウォッチが表われる。時計本体３５は、アナログウォッチユニット４０とスマートウォッチユニット４６とのフレームを取り囲むベゼル（bezel）３６をさらに備えることができる。
【００２５】
アナログウォッチユニット４０は、時計本体３５の一側面に付着されて回転する時針４２と分針４３とを通じて時間を知らせる。アナログウォッチユニット４０は、時針４２と分針４３とを回転させるために、機械式ムーブメント（mechanical movement）またはクォーツムーブメント（quartz movement）を含みうる。
【００２６】
スマートウォッチユニット４６は、時計本体３５の他側面に備えられたディスプレイパネルを備える。前記ディスプレイパネルで、例えば、時間を数字で表現するなどの方法で時間を知らせる。スマートウォッチユニット４６は、時間報知、電話通話、音声及びメッセージ受信などの機能だけではなく、モバイルアプリ（app）を通じて計算器、翻訳機、ゲーム機など多様な機能を提供することができる。スマートウォッチユニット４６は、カメラ、加速度計、温度計、高度計、気圧計、羅針盤、クロノグラフ、タッチスクリーン、ＧＰＳ、ＳＤカード、充放電可能バッテリなどを備えることができる。
【００２７】
支持部材２７は、時計本体３５を時計本体回転軸ＲＣ２（図２参照）を基準に回転自在に支持する。
【００２８】
支持部材２７の一側は、フレーム５の挿入溝８の周辺部にヒンジ結合される。これにより、支持部材２７は、フレーム５に対して支持部材回転軸ＲＣ１を基準に回転可能である。敷衍すれば、支持部材２７は、図１、図５、図６、及び図７に示したように、第１位置及び第２位置の間で支持部材回転軸ＲＣ１を基準に回転可能である。第１位置は、支持部材が挿入溝８に挿入される位置である。第２位置は、図２〜図４に示したように、支持部材２７が、挿入溝８から離脱してフレーム５の前方に突出した位置である。
【００２９】
参照番号‘３３’は、支持部材２７をフレーム５に回転自在に連結する連結ピン（connecting pin）を示す。前記連結ピンは、前記支持部材回転軸ＲＣ１に沿って延長される。
【００３０】
参照番号‘４９’は、時計本体３５を支持部材２７に回転自在に連結する連結ピンであって、前記連結ピンは、前記時計本体回転軸ＲＣ２に沿って延長される。
【００３１】
フレーム５にヒンジ結合される部分を除いた支持部材２７の部分は、リング状をしており、時計本体回転軸ＲＣ２を基準に対称になる。リング状とは、時計本体３５のディスク形状に対応して中空の円状を意味する。
【００３２】
但し、時計本体３５と支持部材２７との形状は、ディスク形状と円状とに限定されるものではなく、例えば、四角形、六角形のような多角形または円以外の閉曲線状でもあり得る。また、支持部材の形状は、開曲線状でもあり得る。
【００３３】
示された実施形態で、前記支持部材回転軸ＲＣ１と時計本体回転軸ＲＣ２は、互いに平行であるが、互いに平行ではないこともある。
【００３４】
図１、図５、図６、及び図７に示したように、一対の支持部材２７が第１位置である時、時計本体３５が挿入溝８に差し込まれて、支持部材２７に対して回転せず、アナログウォッチ及びスマートウォッチのうち何れか１つがフレーム５の前面に露出される。図１及び図６には、アナログウォッチがフレーム５の前面に露出された状態が示されており、図５及び図７には、スマートウォッチがフレーム５の前面に露出された状態が示されている。
【００３５】
図２〜図４に示したように、一対の支持部材２７が第２位置である時には、時計本体３５は時計本体回転軸ＲＣ２を基準に回転自在な状態になる。
【００３６】
図１及び図６に示したように、時計本体３５と支持部材２７とが挿入溝８に差し込まれ、アナログウォッチがフレーム５の前面に露出された状態があると仮定する。この状態で、支持部材２７が回転すれば、支持部材２７が、フレーム５の前方に突出した第２位置に移動する。次いで、図３及び図４に示したように、時計本体３５が半周回転すれば、スマートウォッチが前方に露出された状態で時計本体３５が支持部材２７と重なる。そして、図５及び図７に示したように、支持部材２７が突出する時と逆方向に回転すれば、支持部材２７が再び第１位置に回帰して、時計本体３５が挿入溝８に再び差し込まれれば、スマートウォッチがフレーム５の前面に露出された状態になる。
【００３７】
コンバーチブルスマートウォッチ１は、フレーム５の背面が詰まった挿入溝８に時計本体３５が挿脱自在に挿入される構成を備えることができる。それによれば、手首に着用しても、時計本体３５のアナログウォッチやスマートウォッチが手首に接触されない。また、時計本体３５を指先で接触しないか、接触を最小化して、スマートウォッチとアナログウォッチとを切り替えることができるので、手の細菌や汗による時計本体３５の腐蝕と汚染とを防ぐことができる。
【００３８】
図６及び図７を共に参照すれば、本発明の実施形態によるコンバーチブルスマートウォッチ１は、スマートウォッチ・オン／オフ・ユニットをさらに備えることができる。前記スマートウォッチ・オン／オフ・ユニットは、前記スマートウォッチがフレーム５の前面に露出された時のみに前記スマートウォッチユニット４６を作動させる。
【００３９】
前記スマートウォッチ・オン／オフ・ユニットは、加圧突起３１とタッチスイッチ（touch switch）３８とを備える。
【００４０】
加圧突起３１は、支持部材２７の内側面から内側に突設され、時計本体回転軸ＲＣ２（図２参照）上に設けられない。
【００４１】
タッチスイッチ３８は、前記加圧突起と接触加圧されれば、スマートウォッチユニット４６の作動を許容する。一方、タッチスイッチ３８が加圧突起３１と接触加圧されなければ、スマートウォッチユニット４６の作動を止める。
【００４２】
ここで、スマートウォッチユニット４６の作動が止めるということは、充放電可能バッテリで時計本体３５の一表面に設けられたディスプレイパネルに供給される電流を遮断して、前記ディスプレイパネルに文字または文様が表われないことを含む。
【００４３】
スマートウォッチがフレーム５の前面に露出されるように、時計本体３５が前記挿入溝８に差し込まれる場合のみに、タッチスイッチ３８が、前記加圧突起３１と整列されるように、時計本体３５のベゼル３６に設けられる。
【００４４】
したがって、図５及び図７に示したように、前記挿入溝８に時計本体３５が差し込まれ、前記スマートウォッチがフレーム５の前面に露出される時にのみ加圧突起１６によってタッチスイッチ３８が接触加圧されて、スマートウォッチユニット４６が作動し、図１及び図６に示したように、前記挿入溝８に時計本体３５が差し込まれるが、前記アナログウォッチがフレーム５の前面に露出される時には、スマートウォッチが作動しない。一方、図６及び図７には、明確に表示されていないが、加圧突起３１は、支持部材２７の内側に弾性収縮可能に突出する弾性突起でもあり得る。また、図６及び図７に図示されていないが、ベゼル３６には、時計本体３５が支持部材２７と重なるようになった時、前記加圧突起３１が載置されるように、前記加圧突起３１と整列される加圧突起載置溝（図示せず）が形成されうる。スマートウォッチ・オン／オフ・ユニットは、前述した例の以外にも多くの他の変形例が存在することができる。
【００４５】
コンバーチブルスマートウォッチ１は、時計本体３５が挿入溝８に差し込まれた場合に、時計本体３５が意図しないように、挿入溝８から離脱して出ないようにロッキング（locking）するロッキングユニットをさらに備える。前記ロッキングユニットは、支持部材２７に設けられたフック干渉部２８と、フレーム５に設けられたフック部材（hook member）２０、及びプッシュボタン部材（push button member）１３を備える。前記フック干渉部２８は、支持部材２７の外周面に段付けられるように内側に掘れた溝（groove）であり得る。望ましくは、前記フック干渉部２８は、平行な支持部材回転軸ＲＣ１（図１参照）から時計本体回転軸ＲＣ２（図２参照）までの距離よりも前記支持部材回転軸ＲＣ１からさらに離隔した地点に設けられる。
【００４６】
フック部材２０は、Ｘ軸と平行に延びた部材であって、フレーム５の内部に挿設される。フック部材２０の一端部には、前記フック干渉部２８と干渉されるフック部２３とが備えられる。フック部材２０の他端部は、バネ２５によって弾性加圧される。これにより、フック部材２０は、フック部２３が挿入溝８の内周面から突出する方向に付勢される。フック部材２０の上側面には、プッシュボタン部材１３と干渉される傾斜面１５が形成される。
【００４７】
プッシュボタン部材１３は、Ｚ軸方向に平行に延びた部材であって、フレーム５の内部に挿設される。プッシュボタン部材１３は、フレーム５の内部から放射状に拡張されたフランジ（flange）１４を備え、前記フランジ１４が、バネ１８によって弾性加圧される。これにより、プッシュボタン部材１３は、その上端部がフレーム５の上側面に突出する方向に付勢される。前記フランジ１４が、フレーム５に形成された係止片１１に引っ掛ってプッシュボタン部材１３の上昇が制限され、プッシュボタン部材１３が、フレーム５から離脱されない。プッシュボタン部材１３の下端部は、フック部材２０の上側面の傾斜面２１と干渉される傾斜面１５が形成される。
【００４８】
加圧して押さなければ、プッシュボタン部材１３の上端部は、フレーム５の上側面上に上向き突出し、フック部材２０のフック干渉部２３は、挿入溝８の内周面から突出する。フック部材２０の上側傾斜面２１とプッシュボタン部材１３の下端傾斜面１５とが互いに干渉されているので、フック部材２０は、フック干渉部２３までに挿入溝８の内周面から突出する。支持部材２７を第２位置から第１位置に回転させれば、支持部材２７の外周面がフック部２３の傾斜面を押して、フック部材２０がフレーム５の内部に後退し、支持部材２７は、第１位置に移動する。第１位置に位置した支持部材２７のフック干渉部２８は、フック部材２０のフック部２３と整列され、バネ２５の弾性力によってフック部２３が再び突出して、フック干渉部２８と干渉締結される。これにより、支持部材２７とこれに支持された時計本体３５は、意図しないように、挿入溝８から離脱して出ないように固定される。
【００４９】
支持部材２７が、第１位置でロッキング固定された状態でプッシュボタン部材１３の上端部を加圧して押せば、プッシュボタン部材１３が下降し、プッシュボタン部材１３の下端部傾斜面１５とフック部材２０の上側傾斜面２１とが干渉されているので、フック部材２０が後退して、フック部２３がフレーム５の内側に後退する。これにより、フック部２３とフック干渉部２８との間の干渉締結が解除されて、支持部材２７とこれに支持された時計本体３５は、第２位置に移動可能な状態になる。一方、ロッキングユニットは、図６及び図７を参照して説明した例の以外にも多くの他の変形例が存在することができる。
【００５０】
コンバーチブルスマートウォッチ１は、時計本体３５を弾性加圧する位置切り替え補助バネ１０をさらに備えることができる。前記位置切り替え補助バネは、前記フック部２３とフック干渉部２８との間の干渉が解除された時に、支持部材２７とこれに支持された時計本体２５が、第２位置に移動する。
【００５１】
位置切り替え補助バネ１０は、挿入溝８の底面に形成されたバネ載置溝９に載置固定されうる。位置切り替え補助バネ１０は、支持部材２７が第１位置である時、時計本体３５によって弾性加圧される。
【００５２】
前述したように、プッシュボタン部材１３の上端部を押して、支持部材２７の第１位置ロッキングが解除されれば、位置切り替え補助バネ１０が弾性復元されながら、時計本体３５を挿入溝８から離脱される方向に加圧する。これにより、支持部材２７とこれに支持された時計本体３５とが共に第２位置に移動する。
【００５３】
本発明は、図面に示された実施形態を参考にして説明されたが、これは例示的なものに過ぎず、当業者ならば、これより多様な変形及び均等な他実施形態が可能であるということを理解できるであろう。したがって、本発明の真の技術的保護範囲は、特許請求の範囲によってのみ決定されるべきである。
【産業上の利用可能性】
【００５４】
本発明は、時計に利用可能である。
【符号の説明】
【００５５】
１  コンバーチブルスマートウォッチ
２  ストラップ
５  フレーム
６  ストラップ支持バー
８  挿入溝
９  バネ載置溝
１０  位置切り替え補助バネ
１１  係止片
１３  プッシュボタン部材
１４  フランジ
１５  傾斜面
１６  加圧突起
１８  バネ
２０  フック部材
２１  傾斜面
２３  フック部
２７  支持部材
２８  フック干渉部
３１  加圧突起
３３  連結ピン
３５  時計本体
３６  ベゼル
３８  タッチスイッチ
４０  アナログウォッチユニット
４２  時針
４３  分針
４６  スマートウォッチユニット
４９  連結ピン
ＲＣ１  支持部材回転軸
ＲＣ２  時計本体回転軸
【図１】
0006550452.tif 000002
【図２】
0006550452.tif 000003
【図３】
0006550452.tif 000004
【図４】
0006550452.tif 000005
【図５】
0006550452.tif 000006
【図６】
0006550452.tif 000007
【図７】
0006550452.tif 000008